(57)【要約】【課題】  凝縮システム構成部品間の接続口を効果的に配置し、凝縮効率の向上、凝縮水の効率的排水を実現できる除湿乾燥機を提供する。【解決手段】  本体１内に設置した除湿空気用ファン１２により、本体１内に取り込んだ室内空気７に含まれる水分を除湿空気用ファン１２の上流に設置した除湿ロータ１０で吸湿し、乾燥空気として室内に放出し、一方、再生空気用ファン１４により送風される再生空気１７を再生ヒータ１５で加熱し、再生空気用ファン１４の下流に設置した除湿ロータ１０に吹きかけ、除湿ロータ１０から水分を奪って高湿となった再生空気１７ａを凝縮器９にて凝縮する凝縮サイクルを搭載し、凝縮水１８をタンク２に貯めることのできる除湿乾燥機において、凝縮サイクル風路を構成するヒータケース１６、除湿ロータ支持枠１９、凝縮器９の接続口２０，２１，２２それぞれの中心線が同一線上にあるように接続した。【選択図】図４
2006218432.tif 000002
【特許請求の範囲】
【請求項１】
本体内に設置した除湿空気用ファンにより、本体内に取込んだ室内空気に含まれる水蒸気を除湿空気用ファンの上流に設置した除湿ロータで吸湿し、乾燥空気として室内に放出し、一方、再生空気用ファンにより送風される乾燥した再生空気を再生ヒータで加熱し、再生空気用ファンの下流に設置した除湿ロータに吹きかけ、除湿ロータから水分を奪って高湿となった再生空気を凝縮器にて凝縮する凝縮サイクルを搭載し、凝縮水をタンクに貯めることのできる除湿乾燥機において、
凝縮サイクル風路を構成するヒータケース、除湿ロータ支持枠、凝縮器の接続口それぞれの中心線が同一線上にあるように接続したことを特徴とする除湿乾燥機。
【請求項２】
前記除湿ロータ支持枠は、除湿ロータ支持枠とヒータケースとの接続口下端より低い位置に凝縮水ドレン穴を有することを特徴とする請求項１記載の除湿乾燥機。
【発明の詳細な説明】
【技術分野】
【０００１】
本発明は、除湿ロータを使用した除湿乾燥機に関するものである。
【背景技術】
【０００２】
従来の除湿乾燥機においては、凝縮サイクル風路を構成する、除湿ロータ支持枠と凝縮器とを連結する接続口が除湿ロータから凝縮器に向って下向きに傾斜している。（例えば、特許文献１参照）。
【特許文献１】特開２００１−２５９３４９号公報（第２頁、図８〜９）
【発明の開示】
【発明が解決しようとする課題】
【０００３】
特許文献１の除湿乾燥機においては、除湿ロータから放出された再生空気が、下勾配の接続口を通り、凝縮器に入り、凝縮されるため、一旦凝縮された凝縮水が再び除湿ロータ支持枠へ逆流するのを少なくすることはできるが、再生空気は高温多湿の水分状態のため、勾配の始まりの接続口内上面部にて凝縮しやすい。凝縮器前で凝縮が始まると、凝縮器に入る前に再生空気が低湿になり凝縮効率が低下する。
また、接続口に凝縮水の排水口がないため、一旦接続口で凝縮が始まると、室温上昇等の環境条件の変化あるいは長時間の運転停止状態等がないと、接続口が完全に乾くことができないという構造上の問題もあった。
【０００４】
本発明は、上述のような課題を解決するためになされたもので、凝縮効率の向上を実現できる除湿乾燥機を提供することを第１の目的とするものである。
また、凝縮器前で生じた凝縮水を効率的に排水できる除湿乾燥機を提供することを第２の目的とするものである。
【課題を解決するための手段】
【０００５】
本発明に係る除湿乾燥機は、本体内に設置した除湿空気用ファンにより、本体内に取込んだ室内空気に含まれる水分を除湿空気用ファンの上流に設置した除湿ロータで吸湿し、乾燥空気として室内に放出し、一方、再生空気用ファンにより送風される再生空気を再生ヒータで加熱し、再生空気用ファンの下流に設置した除湿ロータに吹きかけ、除湿ロータから水分を奪って高湿となった再生空気を凝縮器にて凝縮する凝縮サイクルを搭載し、凝縮水をタンクに貯めるようにした除湿乾燥機において、
凝縮サイクル風路を構成するヒータケースと除湿ロータ支持枠との接続口及び除湿ロータと凝縮器との接続口それぞれの中心線が同一線上にあるように接続したものである。
【発明の効果】
【０００６】
本発明に係る除湿乾燥機は、凝縮サイクル風路を構成するヒータケースと除湿ロータ支持枠との接続口及び除湿ロータと凝縮器との接続口を同一中心線上で接続したので、接続風路を短くでき、再生空気が凝縮器に入る前に接続風路内で凝縮が始まることを防止することができ、凝縮効率の向上を実現できる。
【発明を実施するための最良の形態】
【０００７】
実施の形態１
図１は本発明の実施の形態１に係る除湿乾燥機の本体斜視図、図２は本発明の実施の形態１に係る除湿乾燥機のシステム説明図、図３は本発明の実施の形態１に係る除湿乾燥機の凝縮器の斜視図、図４は本発明の実施の形態１に係る除湿乾燥機の凝縮サイクル風路の部分断面図である。
図１，図２において、吸込口５から本体１に取りこまれた室内空気７は、本体１内部で除湿され、吹出口６から乾燥風１１として室外に放出される。本体１内部で、室内空気７から凝縮された凝縮水は、タンク２に貯まる。
【０００８】
室内空気７は、除湿空気用ファン１２により、本体１内に取り込まれる。取り込まれた室内空気７は、フィルター８で室内空気７に含まれる塵埃、臭気等を除去され、凝縮器９を冷却して、除湿ロータ１０内を通過する。この除湿ロータ１０は、除湿ロータ回転用モータ１３、歯車やベルトなどのモータ駆動部１３ａにより運転中は回転している。除湿ロータ１０を通過するときに室内空気７中の水分は除湿ロータ１０に吸水され、乾燥風１１として吹出口６より室内に放出される。
【０００９】
次に、凝縮サイクルについて説明する。
回転しながら、室内空気７の水分を吸湿した除湿ロータ１０には、除湿ロータ再生部１０ａに到達すると、再生空気用ファン１４により送られ、かつ再生ヒータ１５で加熱された高温の再生空気１７が吹きかけられる。
【００１０】
高温の再生空気を吹きかけられることによって除湿ロータ１０は水分を奪われ、高湿となった再生空気１７ａが凝縮器９内を通過するとき、室内空気７で冷却され、凝縮される。凝縮された凝縮水１８は凝縮器ドレン穴９ａからタンク２内に貯まる。凝縮器９内を通過して乾燥させた再生空気１７ｂは再び再生空気用ファン１４に戻り、以下、この凝縮サイクル工程を繰り返す。
【００１１】
図３は凝縮サイクル内の凝縮器９の斜視図である。
複数個の凝縮器ドレン穴９ａが設置されている。凝縮サイクル内の凝縮器９は複数個あっても構わない。凝縮器再生空気取入口９ｂから入った高湿再生空気１７ａは凝縮器再生空気排出口９cから乾燥再生空気１７ｂとなって排出される。
【００１２】
図４は凝縮サイクル風路の凝縮器再生空気取入口９bの部分を示す断面図である。
再生空気１７は、ヒータケース１６内で再生ヒータ１５により加熱され、ヒータケース１６の接続口２０より放出される。接続口２０は除湿ロータ支持枠１９とヒータケース１６とを連通させるように接続している。接続口２０から除湿ロータ支持枠１９内に入った再生空気１７は、除湿ロータ１０を通過して除湿ロータ支持枠１９の裏面側に設けられた連結口１９ｂを通り、凝縮器再生空気取入口９ｂから凝縮器９に入る。複数個で構成される凝縮器９は接続口２２及び連絡口９ｄによりそれぞれ連通している。
【００１３】
除湿ロータ支持枠１９とヒータケース１６との接続口２０下端は、除湿ロータ支持枠１９と凝縮器９との接続口２１下端、複数の凝縮器９同士の接続口２２の下端より高い位置に設定している。
また、除湿ロータ支持枠１９と凝縮器９の接続口２１の流れに沿った方向の長さは、接続口２１の開口径より短く設定している。
【００１４】
上記のように凝縮サイクルを構成したことにより、再生空気１７は、ヒータケース１６と除湿ロータ支持枠１９との接続口２０を通過し、除湿ロータ１０で高湿の再生空気１７ａとなった後、中心線が同一線上にある除湿ロータ支持枠１９と凝縮器９との接続口２１、複数の凝縮器９同士の接続口２２を水平に瞬時に通過するため、それぞれの接続風路内で、凝縮することは殆どない。
【００１５】
さらに、万一、凝縮器９前の接続風路内で凝縮水が発生し、凝縮水が除湿ロータ支持枠１９側に逆流したとしても、除湿ロータ支持枠１９の底部に設けた凝縮水ドレン穴１９ａから排水され、凝縮水がヒーターケース１９内に回り込むのを防止することができる。また、凝縮器９内に異物等が侵入し、凝縮器ドレン穴９ａを塞ぎ、凝縮水が除湿ロータ支持枠１９と凝縮器９との接続口２１を越えて、除湿ロータ支持枠１９内に流れ込んでも、同様に除湿ロータ支持枠１９内で、ヒータケース１６と除湿ロータ支持枠１９との接続口２０下端より低い位置に設けた凝縮水ドレン穴１９ａから流れ込んだ凝縮水を排出することができる。
【００１６】
上記のように、本実施の形態１の構成によれば、凝縮サイクル風路を構成するヒータケース１６と除湿ロータ支持枠１９との接続口及び除湿ロータ１９と凝縮器９との接続口２１をそれぞれ中心線が同一線上にあるように接続したので、接続風路を短くでき、再生空気が凝縮器９に入る前に接続風路内で凝縮が始まることを防止でき、凝縮効率の向上を実現できる。また、除湿ロータ支持枠１９の底部に凝縮水ドレン穴１９ａを設けているので、万一、凝縮器９前の接続風路内で凝縮水が発生したり、凝縮器９内に異物等が侵入して凝縮器ドレン穴９ａを塞ぎ、凝縮水が除湿ロータ支持枠１９と凝縮器９との接続口２１を越えて、除湿ロータ支持枠１９内に流れ込んでも、除湿ロータ支持枠１９内で、除湿ロータ支持枠１９とヒータケース１６との接続口２０下端より低い位置に設けた凝縮水ドレン穴１９ａから排水され、凝縮水がヒーターケース１９内に入り込むのを防止できる。
【図面の簡単な説明】
【００１７】
【図１】本発明の実施の形態１に係る除湿乾燥機の本体斜視図である。
【図２】本発明の実施の形態１に係る除湿乾燥機のシステム説明図である。
【図３】本発明の実施の形態１に係る除湿乾燥機の凝縮器斜視図である。
【図４】本発明の実施の形態１に係る除湿乾燥機の凝縮サイクル風路の部分断面図である。
【符号の説明】
【００１８】
１  本体、７  室内空気、９  凝縮器、９ａ  凝縮器ドレン穴、９ｂ  凝縮器再生空気取入口、９ｃ  凝縮器再生空気排出口、９ｄ  連絡口、１０  除湿ロータ、１０ａ  除湿ロータ再生部、１１  乾燥風、１２  除湿空気用ファン、１４  再生空気用ファン、１５  再生ヒータ、１６  ヒータケース、１７  再生空気、１７ａ  高湿再生空気、１７ｂ  乾燥再生空気、１８  凝縮水、１９  除湿ロータ支持枠、１９ａ  凝縮水ドレン穴、２０  ヒータケースと除湿ロータ支持枠との接続口、２１  除湿ロータ支持枠と凝縮器との接続口、２２  凝縮器同士の接続口。
【図１】
2006218432.tif 000003
【図２】
2006218432.tif 000004
【図３】
2006218432.tif 000005
【図４】
2006218432.tif 000006